(57)【要約】  ディスプレイケースは、壁、ピラー、又は、一連のポールが複数連続したもの等の少なくとも１つの垂直支持部の上に搭載されるよう設計されている。ディスプレイケースは、ディスプレイケース内の閉位置を有し、ディスプレイケースの下の開位置とを有するディスプレイ引き出しを含む。ディスプレイケースは、ディスプレイ引き出しをディスプレイケースの前面にしか有さない片側のものであっても、その前面の第１のディスプレイ引き出しと、その後部の第２のディスプレイ引き出しとを有する、両側のものであってもよい。【選択図】図８
2015503402.tif 000002
【特許請求の範囲】
【請求項１】
少なくとも１つの垂直支持部の上に搭載されるよう設計されたディスプレイケースであって、
上部と複数の側壁とを備え、第１のディスプレイエリアを収容するフレームと、
前記フレームに取り付けられた前面ビューイング窓であって、前記前面ビューイング窓を介して、前記フレームに収容された前記第１のディスプレイエリアが視認可能である、前記前面ビューイング窓と、
前記フレームにスライド可能に接続され、閉位置と開位置とを持つ第１のディスプレイ引き出しと
を備え、
前記第１のディスプレイ引き出しは、前記閉位置においては前記第１のディスプレイエリア内に収容され、前記開位置においては前記第１のディスプレイエリアの下に延びる、
ディスプレイケース。
【請求項２】
前記フレームに取り付けられた後部ビューイング窓であって、前記後部ビューイング窓を介して、前記フレームに収容された第２のディスプレイエリアが視認可能である、前記後部ビューイング窓と、
前記フレームにスライド可能に接続され、閉位置と開位置とを持つ第２のディスプレイ引き出しと
とを更に備え、
前記第２のディスプレイ引き出しは、前記閉位置においては前記第２のディスプレイエリア内に収容され、前記開位置においては前記第２のディスプレイエリアの下に延びる、請求項１に記載のディスプレイケース。
【請求項３】
前記ディスプレイケースはケースの奥行を持ち、
前記第１のディスプレイエリアは、前記ケースの奥行の約半分までの奥行を持つ、請求項１又は２に記載のディスプレイケース。
【請求項４】
前記第１のディスプレイ引き出しは、
左辺及び右辺を持つディスプレイ面と、
前記ディスプレイ面の各辺に接続された側面プレートと、
各側面プレートに約１８０度より小さい角度で接続された支持アームと
を有する、請求項１から３の何れか１項に記載のディスプレイケース。
【請求項５】
各支持アームは、前記ディスプレイケースの前記フレームに固定された垂直トラックにスライド可能に接続されている、請求項４に記載のディスプレイケース。
【請求項６】
各側面プレートは、前記ディスプレイケースの前記フレームに固定されたベアリングホイールを受けるスライド溝を含む、請求項４又は５に記載のディスプレイケース。
【請求項７】
各スライド溝は湾曲しており、前記第１のディスプレイ引き出しの前記ディスプレイ面を、前記第１のディスプレイ引き出しが前記閉位置にあるときの傾いた位置から、前記第１のディスプレイ引き出しが前記開位置にあるときの水平位置に旋回させる、請求項６に記載のディスプレイケース。
【請求項８】
前記第１のディスプレイ引き出しは更に、前記ディスプレイ面に取り外し可能に取り付けられる少なくとも１つのディスプレイパネルを含む、請求項４から７の何れか１項に記載のディスプレイケース。
【請求項９】
前記第１のディスプレイ引き出しは複数のディスプレイパネルを含み、各ディスプレイパネルが、前記ディスプレイ面に取り外し可能に取り付けられる、請求項８に記載のディスプレイケース。
【請求項１０】
前記少なくとも１つのディスプレイパネルは、ディスプレイされる商品を受ける少なくとも１つのスロットを含む、請求項８又は９に記載のディスプレイケース。
【請求項１１】
前記少なくとも１つのディスプレイパネルは、前記ディスプレイ面に磁気的に取り付けられる、請求項８から１０の何れか１項に記載のディスプレイケース。
【請求項１２】
前記第１のディスプレイ引き出しの下面に取り外し可能に取り付けられる商品収集トレイを更に備える、請求項１から１１の何れか１項に記載のディスプレイケース。
【請求項１３】
少なくとも１つの垂直支持部の上に搭載されるよう設計されたディスプレイケースであって、
前記ディスプレイケースは、
上部と複数の側壁とを備え、第１のディスプレイエリアを収容するフレームと、
前記フレームに取り付けられた前面ビューイング窓であって、前記前面ビューイング窓を介して、前記フレームに収容された前記第１のディスプレイエリアが視認可能である、前記前面ビューイング窓と、
前記フレームにスライド可能に接続され、閉位置と開位置とを持つ第１のディスプレイ引き出しと
を有し、
前記第１のディスプレイ引き出しは、前記閉位置においては前記第１のディスプレイエリア内に収容され、前記開位置においては前記第１のディスプレイエリアの下に延び、
前記第１のディスプレイ引き出しは、
左辺及び右辺を持つディスプレイ面と、
前記ディスプレイ面の各辺に接続された側面プレートと、
各側面プレートに約１８０度より小さい角度で接続された支持アームと
を含む、ディスプレイケース。
【請求項１４】
各支持アームは、前記ディスプレイケースの前記フレームに固定された垂直トラックにスライド可能に接続されている、請求項１３に記載のディスプレイケース。
【請求項１５】
各側面プレートは、前記ディスプレイケースの前記フレームに固定されたベアリングホイールを受けるスライド溝を含む、請求項１３又は１４に記載のディスプレイケース。
【請求項１６】
各スライド溝は湾曲しており、前記第１のディスプレイ引き出しの前記ディスプレイ面を、前記第１のディスプレイ引き出しが前記閉位置になったときの傾いた位置から、前記第１のディスプレイ引き出しが前記開位置になったときの水平位置に旋回させる、請求項１５に記載のディスプレイケース。
【請求項１７】
前記第１のディスプレイ引き出しは更に、前記ディスプレイ面に取り外し可能に取り付けられる少なくとも１つのディスプレイパネルを含む、請求項１３から１６の何れか１項に記載のディスプレイケース。
【請求項１８】
前記第１のディスプレイ引き出しは複数のディスプレイパネルを含み、各ディスプレイパネルが、前記ディスプレイ面に取り外し可能に取り付けられる、請求項１７に記載のディスプレイケース。
【請求項１９】
前記少なくとも１つのディスプレイパネルは、ディスプレイされる商品を受ける少なくとも１つのスロットを含む、請求項１７又は１８に記載のディスプレイケース。
【請求項２０】
前記少なくとも１つのディスプレイパネルは、前記ディスプレイ面に磁気的に取り付けられる、請求項１７から１９の何れか１項に記載のディスプレイケース。
【請求項２１】
前記第１のディスプレイ引き出しを前記閉位置に施錠する第１の施錠メカニズムを更に備える、請求項１に記載のディスプレイケース。
【請求項２２】
前記第２のディスプレイ引き出しを前記閉位置に施錠する第２の施錠メカニズムを更に備える、請求項２に記載のディスプレイケース。
【発明の詳細な説明】
【技術分野】
【０００１】
［関連出願の相互参照］
本願は、２０１１年１２月２９日に提出された米国仮特許出願第61/581,415号明細書に基づいており、その出願日の恩恵を享受する。本願の全内容の全体を参照としてここに組み込む。
【０００２】
本技術は、商品をディスプレイするためのディスプレイケースに関し、特に、垂直支持部上に搭載することができるディスプレイケースに関する。
【背景技術】
【０００３】
小売用の商品をディスプレイするためのディスプレイケースは、通常、床に配置され、少なくとも１つの透明なディスプレイウィンドウを持ち、これを介して顧客はケース内にディスプレイされている商品を見ることができ、これにより、商店員がディスプレイケースの片側におり、顧客が反対側にいるというカウンタが形成されている。こういったディスプレイケースは、通常、施錠可能なスライド式の後部パネルを持ち、従業員はこれを開放した後、ディスプレイケース内に手を入れて、ケース内に商品を入れたり、顧客に検品させるために出したりすることができる。
【発明の概要】
【課題を解決するための手段】
【０００４】
本技術は、垂直支持部上に搭載することができるディスプレイケースに関する。
【０００５】
一態様では、上部と、複数の側壁とを有するフレームを含み、フレームが第１のディスプレイエリアを収容し、前面ビューイング窓が上部及び複数の側壁に取り付けられた、ディスプレイケースが提供される。フレームに収容される第１のディスプレイエリアがあってよく、これは、前面ビューイング窓から視認可能である。第１のディスプレイ引き出しは、フレームにスライド可能に接続することができ、閉位置及び開位置をとることができ、第１のディスプレイ引き出しは、閉位置において第１のディスプレイエリア内に収容され、開位置において第１のディスプレイエリアの下に延びる。ディスプレイケースは更に、第１のディスプレイ引き出しを閉位置に施錠する第１の施錠メカニズムを含むことができる。
【０００６】
幾つかの例では、ディスプレイケースが、更に、フレームに取り付けられた後部ビューイング窓を含んでよく、フレームが収容する第２のディスプレイエリアは、後部ビューイング窓から視認可能である。これらの例は、フレームにスライド可能に接続される第２のディスプレイ引き出しを含むことができ、第２のディスプレイ引き出しは、閉位置及び開位置をとることができ、第２のディスプレイ引き出しは、閉位置において第２のディスプレイエリア内に収容され、開位置において第２のディスプレイエリアの下に延びる。更に、第２のディスプレイ引き出しを閉位置に施錠する第２の施錠メカニズムを含むことができる。
【０００７】
更に幾つかの例においては、ディスプレイ引き出しが、左辺と右辺とを有するディスプレイ面と、ディスプレイ面の各辺に接続された側面プレートと、各側面プレートに約１８０度より小さい角度で接続された支持アームとを含むことができる。これらの例においては、各支持アームが、ディスプレイケースの側壁に固定されている垂直トラックにスライド可能に接続可能である。
【図面の簡単な説明】
【０００８】
例示及び説明のために特定の例を選択し、添付図面にて示すが、これは明細書の一部をなす。
【０００９】
【図１】本技術のディスプレイケースの一例の斜視図である。
【００１０】
【図２Ａ】図１のディスプレイケースの前面図である。
【００１１】
【図２Ｂ】本技術のディスプレイケースの第２の例の前面図である。
【００１２】
【図２Ｃ】本技術のディスプレイケースの第３の例の前面図である。
【００１３】
【図３】図１のディスプレイケースの側断面図である。
【００１４】
【図４】ベール壁に搭載された、図１の片側のディスプレイケースの側断面図である。
【００１５】
【図５】ベール壁に搭載された、図１の両側のディスプレイケースの側断面図である。
【００１６】
【図６】閉位置にある、図１のディスプレイケースのディスプレイエリアの側断面図である。
【００１７】
【図７】第１の中間位置にある、図６のディスプレイエリアの側断面図である。
【００１８】
【図８】第２の中間位置にある、図６から図７のディスプレイエリアの側断面図である。
【００１９】
【図９】開位置にある、図６から図８のディスプレイエリアの側断面図である。
【００２０】
【図１０】Ａは、本技術のディスプレイケースで利用されるディスプレイパネルの第１の例の斜視図である。
【００２１】
図１０のＢは、本技術のディスプレイケースで利用されるディスプレイパネルの第２の例の斜視図である。
【００２２】
図１０のＣは、本技術のディスプレイケースで利用されるディスプレイパネルの第３の例の斜視図である。
【００２３】
図１０のＤは、本技術のディスプレイケースで利用されるディスプレイパネルの第４の例の斜視図である。
【００２４】
図１０のＥは、本技術のディスプレイケースで利用されるディスプレイパネルの第５の例の斜視図である。
【００２５】
【図１１】本技術のディスプレイケースで利用されるバングルのための、ディスプレイパネルの１つの例の側面図である。
【００２６】
【図１２】本技術のディスプレイケースで利用されるリングセットのための、ディスプレイパネルの１つの例の側面図である。
【００２７】
【図１３】本技術のディスプレイケースで利用されるリング及びネックレースのための、ディスプレイパネルの１つの例の側面図である。
【００２８】
【図１４】本技術のディスプレイケースで利用されるネックレースのための、ディスプレイパネルの１つの例の前面図である。
【発明を実施するための形態】
【００２９】
本技術のディスプレイケースは、壁又は１もしくは複数のピラー等の、垂直支持部上に搭載することができる。本技術のディスプレイケースは、これに限定はされないが宝石を含む、様々なタイプの商品をディスプレイするための、交換可能なディスプレイパネルを配置することができる少なくとも１つのディスプレイ引き出しを含む。図１から図７、図８、図９に、本技術のディスプレイケースの幾つかの例が示されている。このようなディスプレイケースで利用されるディスプレイパネルの幾つかの例が図１０から図１４に示されている。
【００３０】
図１、図２Ａ、及び図３から図９に示されている例に示されているように、本技術のディスプレイケース１００の外側は、左側壁１０４及び右側壁１０６等の、複数の側壁及び上部１０２を有するフレームを含むことができる。本技術のディスプレイケース１００は、更に、前面ビューイング窓１０８を含むこともできる。フレームが、前面ビューイング窓１０８から視認可能な第１のディスプレイエリア１１０を収容することもできる。上部１０２並びに側壁１０４及び１０６は、好適には半透明であってよく、例えばステンレス鋼等の金属、木、又はプラスチックを含む任意の適切な材料から形成されてよい。前面ビューイング窓１０８は、ディスプレイケース１００内にディスプレイされる商品を、前面ビューイング窓１０８を通して消費者が見ることができるように、好適には透明であってよい。前面ビューイング窓１０８は、例えばガラス、プラスチック、又はプレキシガラスを含む任意の適切な材料から形成することができる。
【００３１】
ディスプレイケースは、ディスプレイケース１００の前面ビューイング窓１０８から後部１２２までのケースの奥行を持つ。第１のディスプレイエリア１１０は、好適にはケースの奥行の約半分までの奥行を有することができる。
【００３２】
図２Ａから図２Ｃは、本技術のディスプレイケースの様々な例の前面図であり、前面ビューピングパネルからケースの第１のディスプレイエリアを覗き込んでいる。
【００３３】
図２Ａに示すディスプレイケース１００の前面は、正方形の形状を有する。  第１のディスプレイエリア１１０は、後部パネル１１２と、上部１０２に取り付けられた上部パネル１１４と、左側壁１０４に取り付けられた左側パネル１１６と、右側壁１０６に取り付けられた右側パネル１１８と、第１のディスプレイ引き出し１２０とを含む。さらに詳しく後述するように、第１のディスプレイ引き出し１２０は、ディスプレイケース１００の前面ビューイング窓１０８から視認可能な商品を保持することができるよう構成されている。第１のディスプレイ引き出し１２０は、側壁１０４及び１０６にスライド可能に接続されてよく、閉位置と開位置とを有してよい。閉位置にあるとき、第１のディスプレイ引き出し１２０は、図１及び図２Ａに示すように、第１のディスプレイエリア１１０内に収容されていてよい。開位置にあるとき、第１のディスプレイ引き出し１２０は、図９に示すように、第１のディスプレイエリアの下に延びることができる。
【００３４】
図２Ａに示すように、第１のディスプレイ引き出し１２０は、左辺１５４及び右辺１５６を持つディスプレイ面１２２を有することができ、第１のディスプレイ引き出し１２０が閉位置にあるとき、ディスプレイ面１２２の上端が位置するディスプレイエリア１１０の後部から、ディスプレイ面１２２の下端が位置するディスプレイエリア１１０の前面まで傾けることができるようになっている。後部パネル１１２は、ディスプレイケースの所望の高さに配置され、中心をずらして配置されてよい、例えば、垂直方向に中心をずらして配置することで、後部パネル１１２の水平方向のセンターラインＡが、ディスプレイケース１００の水平方向のセンターラインＢの上になるようにすることができる。ディスプレイ引き出し１２０、上部パネル１１４、左側パネル１１６、及び右側パネル１１８は全て、ディスプレイケース１００の外縁から、ディスプレイエリア１１０の後部の後部パネル１１２に向かって内側に傾けられている。
【００３５】
図２Ｂに示すディスプレイケース２００の前面は矩形であり、側壁２０２及び２０４の長さが上部２０６の長さより大きい。図２Ａに示すディスプレイケース１００の第１のディスプレイエリア１１０同様に、図２Ｂに示すディスプレイケース２００の第１のディスプレイエリア２０８は、後部パネル２１０と、上部２０６に取り付けられた上部パネル２１２と、左側壁２０４に取り付けられた左側パネル２１４と、右側壁２０２に取り付けられた右側パネル２１６と、ディスプレイ引き出し２１８とを含む。後部パネル２１０は、ディスプレイケースの所望の高さに、中心をずらして配置されてよい、例えば、垂直方向に中心をずらして配置されることで、後部パネル２１０の水平方向のセンターラインＣが、ディスプレイケース２００の水平方向のセンターラインＤの上になるようにすることができる。ディスプレイ引き出し２１８、上部パネル２１２、左側パネル２１４、及び右側パネル２１６は全て、ディスプレイケース２００の外縁から、ディスプレイエリア２０８の後部の後部パネル２１０に向かって内側に傾けられている。
【００３６】
図２Ｃに示すディスプレイケース３００の前面は矩形であり、側壁３０２及び３０４の長さが上部３０６の長さより小さい。図２Ａ及び図２Ｂのディスプレイケース同様に、図２Ｃに示すディスプレイケース３００の第１のディスプレイエリア３０８は、後部パネル３１０と、上部３０６に取り付けられた上部パネル３１２と、左側壁３０４に取り付けられた左側パネル３１４と、右側壁３０２に取り付けられた右側パネル３１６と、ディスプレイ引き出し３１８とを含む。後部パネル３１０は、ディスプレイケースの所望の高さに配置されてよく、中心をずらして配置されてよい。例えば、後部パネル３１０は、垂直方向に中心をずらして配置することで、後部パネル３１０の水平方向のセンターラインＥが、ディスプレイケース３００の水平方向のセンターラインＦの上になるようにすることができる。後部パネル３１０は、更に、水平方向に中心をずらして配置されてよく、例えば、後部パネル３１０の垂直方向のセンターラインＧが、ディスプレイケース３００の垂直方向のセンターラインＨの左側にくるようにすることができる。ディスプレイ引き出し３１８、上部パネル３１２、左側パネル３１４、及び右側パネル３１６は全て、ディスプレイケース３００の外縁から、ディスプレイエリア３０８の後部の後部パネル３１０に向かって内側に傾けることができる。
【００３７】
図３から図５は、本技術のディスプレイケースの幾つかの例の断面のビューを示している。図３及び図４に示すように、本技術のディスプレイケースは、ディスプレイエリアをディスプレイケースの前面にしか有さない片側であってよい。図５に示すように、本技術のディスプレイケースは、ディスプレイケースの前面の第１のディスプレイエリアと、ディスプレイケースの後部の第２のディスプレイエリアとを有する、両側タイプであってもよい。両側のディスプレイケースは、上述したような第１のディスプレイエリア１１０と、第１のディスプレイエリア１１０と実質的に構造的に同じ、又はそのミラーイメージであってよい第２のディスプレイエリア１３８とを含むことができる。例えば、第２のディスプレイエリア１３８は、ディスプレイケース１００のフレームに収容されてよく、後部ビューイング窓１３６によって視認可能であってよい。第２のディスプレイ引き出し１４０は、ディスプレイケース１００のフレームにスライド可能に接続することができ、例えば側壁１０４及び１０６に接続することができる。第２のディスプレイ引き出し１４０は、閉位置及び開位置を有することができ、第２のディスプレイ引き出しは、閉位置にあるとき第２のディスプレイエリア内に収容され、図９でディスプレイ引き出し１２０に関して示すように、開位置にあるときには第２のディスプレイエリアの下に延びる。
【００３８】
本技術のディスプレイケースは、図３から図５に示すような壁、ピラー、又は１もしくは複数のロッド１２４等の、任意の適切なタイプの垂直支持部上に搭載することができる。本技術のディスプレイケースは、任意の所望の高さに搭載することができ、これには例えば、第１のディスプレイ引き出し１２０にディスプレイされている商品１２８を見ている消費者１２６の頭部及び胸部と揃う位置にディスプレイケースのビューイングエリア１１０が配置される高さが含まれる。一例では、ディスプレイケース１００が、ケースの上部１０２が、約５フィート（約1.524メートル）から約７フィート（約2.1336メートル）の高さにあるよう、搭載されてよい。
【００３９】
更なる構造的支持を提供するべく、本技術のディスプレイケースのフレームは、中央壁１３０と、中央壁１３０に取り付けられたベースプレート１３２とを含むことができる。中央壁１３０は、ディスプレイケース１００の上部１０２に取り付けることができ、好適には、前面ビューイング窓１０８と、図３から図４に示す後部壁１３４又は図５に示す後部ビューイング窓１３６との間の中間位置に位置してよい。ベースプレート１３２は、搭載のために利用することができる水平構造を提供することができる。例えば、１又は複数のロッド１２４等の垂直支持部は、ディスプレイケース１００の上部１０２及びベースプレート１３２に、溶接によって又は少なくとも１つの固定具１４２によって固定することができる。ベースプレート１３２は、中央壁１３０から水平方向に、閉位置から開位置へのどのディスプレイ引き出しの動きとも干渉しないような距離、延ばすことができる。図３及び図５に示す例では、ベースプレート１３２が中央壁１３０から水平方向に、前面ビューイング窓１０８及び後部壁１３４又は後部ビューイング窓１３６までの距離の部分のみの距離分、延びる。図４に示す例では、ベースプレート１３２は、前面ビューイング窓１０８までの距離の部分のみの距離分、中央壁１３０から水平方向に延びるが、これは、後部壁１３４までの距離全体である。
【００４０】
図３を参照すると、本技術のディスプレイケースは、照明を含むことができ、例えばこれには、少なくとも１つのサイドライト１４４が含まれ、これは、左側壁１０４もしくは右側壁１０６、又はこれら両方に取り付けることができる。各サイドライト１４４は、ディスプレイエリア１１０内に、及び、ディスプレイ引き出し１２０上にディスプレイされている商品１２８に対して光を照射するよう構成することができる。各サイドライト１４４は、好適には、閉位置からまたは閉位置へのディスプレイ引き出し１２０の動きによって起動されるスイッチにより起動することができ、これによりディスプレイ引き出し１２０が閉位置になるとサイドライト１４４が点灯され、ディスプレイ引き出し１２０がその閉位置から動かされたときに消灯されるようになっている。本技術のディスプレイケースは更に、後部ライト１４６等の更なる内部ライトを有することもでき、これは、後部パネル１１２に対して光を照射するよう構成されていてよく、これによりディスプレイエリア１０８が所望の特徴又は雰囲気を呈する。
【００４１】
以降、図３、及び図６から図９を参照して、ディスプレイ引き出しの動きを、第１のディスプレイ引き出し１２０を参照して説明する。しかし、構造及び機能は、本技術の第２のディスプレイ引き出しに適用することもできることを理解されたい。
【００４２】
第１のディスプレイ引き出し１２０が閉位置にあるとき、第１のディスプレイ引き出し１２０を閉位置に施錠する第１の施錠メカニズム１５２を利用することができる。施錠メカニズム１５２は、電子デッドボルト等の電子施錠メカニズムであってよい。好適には、施錠メカニズム１５２は、キーカード、又は、従業員が携帯可能であり、前記施錠メカニズム１５２を開錠するために利用され、第１のディスプレイ引き出し１２０をその閉位置からその開位置に動かすことができるその他のデバイスによって開錠することができる。施錠メカニズムはタイマを含んでよく、例えば開錠されてから２０秒から約１分などの一定の時間の間、開放されなかった場合に、ディスプレイ引き出し１２０を再度施錠することができる。両側のディスプレイケースの例では、第１の施錠メカニズム１５２が、第１のディスプレイ引き出し１２０をその閉位置に施錠することができ、第２の施錠メカニズム１５２が第２のディスプレイ引き出し１２０をその閉位置に施錠することができる。
【００４３】
本技術のディスプレイ引き出し１２０は、ディスプレイ面の各片側（each side）に接続された側面プレート１５８と、各側面プレートに約１８０度より小さい角度αで接続された支持アーム１６０とを有することができる。各支持アーム１６０は、ディスプレイケース１００の側壁１０４又は１０６に固定される等、ディスプレイケース１００のフレームに固定された垂直トラック１６２にスライド可能に接続することができる。ピボットヒンジ１６４は、各支持アーム１６０を垂直トラック１６２に接続するために利用することができ、方向γに下方に動くときに、ディスプレイ引き出し１２０を方向βに上方向に旋回させることができる。各支持アーム１６０と垂直トラック１６２との間の接続によって、ディスプレイ引き出し１２０を、さもなくば施錠メカニズムが解放されると引き出しを下方に落とす重力に対抗して適切な位置に保持するために十分な摩擦を生じさせるよう構成することができる。例えば、垂直トラック１６２のスロットに乗せるベアリングがあってもよく、圧力を垂直トラック１６２に加えて摩擦を生じさせるワッシャ又は圧力プレートを保持する、ベアリングに通すボルトがあってもよい。加えて、各側面プレート１５８が、ディスプレイケース１００の側壁１０４又は１０６等のフレームに固定されるベアリングホイール１６８を受けるスライド溝１６６を含むことができる。各スライド溝１６６は、湾曲していてよく、ディスプレイ引き出し１２０を、ディスプレイ引き出し１２０が閉位置になったときの傾いた位置から、ディスプレイ引き出し１２０が開位置になったときの水平位置に旋回させる構成を有している。
【００４４】
本技術のディスプレイケースは、更に、ディスプレイ引き出し１２０の後ろの中央壁１３０等のフレームに取り付けられたミラー等のブロックパネル１５０を含むことができ、ディスプレイ引き出し１２０がその閉位置にあるときには、ブロックパネル１５０は視認可能ではない。ブロックパネル１５０は、バネ式ヒンジ１５１によって中央壁１３０に固定することができ、ディスプレイ引き出し１２０がその開位置に移動したときに、上方向に旋回することができる。ブロックパネル１５０は、ディスプレイ引き出し１２０の後部のディスプレイケース１００へのビューを遮ることができ、これにより、ディスプレイ引き出し１２０の支持アーム１６０と垂直トラック１６２とが見えないようにすることができる。ブロックパネル１５０がミラーである場合には、ブロックパネル１５０はさらに、例えばディスプレイ引き出し１２０内にディスプレイされた商品を試着するようなときに、顧客が自身を見ることができるビューイング面を提供することができる。ディスプレイ引き出し１２０は、ブロックパネル１５０と少なくとも１つの接触点を持つことができ、これによりディスプレイ引き出し１２０がその閉位置からその開位置に動くとき、徐々にブロックパネル１５０を上方向に旋回するようにして、且つ、ディスプレイ引き出し１２０がその開位置からその閉位置に動くときには、ブロックパネル１５０を下方向に旋回して戻すようにする。
【００４５】
ディスプレイ引き出し１２０は、さらに、グリップベース１７０を含むことができ、これにより従業員がディスプレイ引き出し１２０を掴み、力を加えて、ディスプレイ引き出し１２０をその閉位置からその開位置へと動かすことができる。グリップベース１７０は、ディスプレイ引き出し１２０がその閉位置にあるときに、前面ビューイング窓１０８の周りの底部フレーム部分として機能することができ、上部１０２及び側壁１０４、１０６が、それぞれ上部フレーム部分と側部フレーム部分とを含むことで、前面ビューイング窓１０８の周りの全フレームを形成することができるようになっている。グリップベース１７０は、ディスプレイ引き出し１２０がその閉位置にあるときに、グリップベース１７０から前面ビューイング窓１０８へと上方向に延びる上部リップ１７２を含むことができる。グリップベース１７０は更に、ハンドル１７４を含むことができ、これは、従業員がグリップベース１７０を掴むことができるよう手助けをする凹みまたはその他の適切な構造であってよい。
【００４６】
商品をディスプレイする際の柔軟性を提供するために、本技術のディスプレイケースのディスプレイ引き出しは、異なる構成をもつディスプレイパネルをディスプレイ引き出しから交互に出し入れすることができるよう、モジュール式のディスプレイパネルシステムを含むことができる。例えば第１のディスプレイ引き出し１２０は、ディスプレイ引き出し１２０のディスプレイ面１２２に取り外し可能に取り付けられる少なくとも１つのディスプレイパネルを含むことができる。ディスプレイパネルは、１又は複数のディスプレイパネルを、任意の時点にディスプレイ引き出し１２０に配置することができるようなサイズ及び構成とすることができる。幾つかの例では、第１のディスプレイ引き出し１２０が、１又は複数のディスプレイパネルを含むことができ、各ディスプレイパネルが、ディスプレイ面１２２に取り外し可能に取り付けられてよい。
【００４７】
例えば、図１０のＡから図１０のＥは、宝石をディスプレイ及び保持するよう構成されたディスプレイパネルの数例１７６、１７８、１８０、１８２及び１８４を示す。各ディスプレイパネルは、少なくとも１つのプルタブ１８６を有することができ、これを掴んでディスプレイパネルをディスプレイ引き出し１２０のディスプレイ面１２２から外すことができる。幾つかの例では、ディスプレイ面１２２及び／又は各ディスプレイパネルが、１又は複数の磁石を含むことができ、したがって各ディスプレイパネルをディスプレイ引き出し１２０のディスプレイ面１２２に磁気的に取り付けることができる。
【００４８】
図１０のＡのディスプレイパネルは、単にフラットパネル１７６であり、ディスプレイするために商品をディスプレイパネルの上端１８８の上にかけたり下に置いたりすることができる。こういったフラットディスプレイパネル１７６を複数、ディスプレイ面１２２に配置するときには、互いに並べて、１つのフラットディスプレイパネル１７６の下端１９０が、別のフラットディスプレイパネル１７６の上端１８８と隣り合うようにすることができる。
【００４９】
図１０のＢから図１０のＥ、及び図１１から図１３に示すような他の例では、ディスプレイパネルが、ディスプレイされる商品を受けるための少なくとも１つのスロットを含むことができる。商品用のスロットは、奥行をもち、ディスプレイパネルのディスプレイ面２３０に対して任意の適切な角度δに構成することができ、これは約４５度から約９０度の角度δを含む。各スロットは、後部支持２３２を有することができ、商品を保持したり商品にクッションを与えたりするための詰め物２３４を含むことができる。各ディスプレイパネルは更に、低い位置の下端１９２と高い位置の上端１９４とを含むことができ、これにより、１つのパネルの高い位置の上端１９４が別のディスプレイパネルの低い位置の下端１９２の上部に配置するように、図１から図１３に示すようにディスプレイパネル同士が、重なって配置されることができるようになっている。
【００５０】
図１０のＥ及び図１１に示すディスプレイパネル１８４は、ディスプレイパネル１８４のディスプレイ面２３０に対して約４５度の角度の第１のスロット１９６と、ディスプレイパネル１８４のディスプレイ面２３０に対して約９０度の角度の第２のスロット１９８とを含む。第１のスロット１９６は、例えばブレスレット２１８等の第１の商品を受けることができる。第２のスロット１９８は、例えばリング２２０等の第２の商品を受けることができる。
【００５１】
図１０のＣ及び図１２に示すディスプレイパネル１８０は、ディスプレイパネル１８０のディスプレイ面２３０に対して約９０度の角度の第１のスロット１２２と、ディスプレイパネル１８０のディスプレイ面２３０に対して約９０度の角度の第２のスロット２２４とを含む。第１のスロット２２２は、例えば結婚指輪２２６等の第１の商品を受けることができる。第２のスロット２２４は、エンゲージリング２２８等の第２の商品を受けることができる。
【００５２】
図１０のＢ及び図１３に示すようなディスプレイパネル１７８は、ディスプレイパネル１７８の後部側２４４に取り付けることができるチェーンホルダ２３６と、ディスプレイパネル１７８のディスプレイ面２３０に対して約９０度の角度に設けられたスロット２３８とを含む。ネックレース２４０等の第１の商品は、ディスプレイパネル１７８の上端１９４にかけることができ、そのチェーンを、チェーンホルダ２３６で受けることができる。スロット２３８は、例えばリング２４２等の第２の商品を受けることができる。
【００５３】
ディスプレイパネルの別の例が図１４に示されている。この例では、ディスプレイパネル２４４は、高い位置の上端２４６と、低い位置の下端２４８と、ディスプレイ面２５０とを含むことができる。ディスプレイパネル２４４は、スロット２５２を含むことができる。ディスプレイパネル２５２は更に、ネックレース２５６等の商品を引っかけることができる少なくとも１つの凸状の特徴２５４を含むことができる。
【００５４】
最後に図９に示すように、幾つかの例において、ディスプレイする商品が、宝石のような小さな御品であるような場合に、商品収集トレイ２５８を、第１のディスプレイ引き出し１２０の下面２６０に取り外し可能に取り付けることができる。例えば、ディスプレイ引き出し１２０の下面２６０が、磁石が取り付けられる鋼又は別の金属である場合には、商品収集トレイ２５８が、第１のディスプレイ引き出し１２０の下面２６０に対する磁性アタッチメント（magnetic attachment）を形成する１又は複数の磁石を含むことができる。ディスプレイ引き出し１２０が開かれたとき、従業員は単に、ディスプレイ引き出し１２０の下に手を延ばして、商品収集トレイ２５８を取り出すことで、便利に顧客に見せることができる。
【００５５】
上記したことから、特定の例がここでは例示目的で記載されているが、本開示の精神又は範囲から逸脱することなく様々な変形例を実施することが可能であることが理解されるだろう。従って、上記の詳細な説明は限定ではなく例示として捉えられ、請求される主題を特に指摘し明確に請求することを意図されているのは、全ての均等物を含む以下の請求項であることが理解されるべきである旨を意図している。
【図１】
2015503402.tif 000003
【図２Ａ】
2015503402.tif 000004
【図２Ｂ】
2015503402.tif 000005
【図２Ｃ】
2015503402.tif 000006
【図３】
2015503402.tif 000007
【図４】
2015503402.tif 000008
【図５】
2015503402.tif 000009
【図６】
2015503402.tif 000010
【図７】
2015503402.tif 000011
【図８】
2015503402.tif 000012
【図９】
2015503402.tif 000013
【図１０Ａ】
2015503402.tif 000014
【図１０Ｂ】
2015503402.tif 000015
【図１０Ｃ】
2015503402.tif 000016
【図１０Ｄ】
2015503402.tif 000017
【図１０Ｅ】
2015503402.tif 000018
【図１１】
2015503402.tif 000019
【図１２】
2015503402.tif 000020
【図１３】
2015503402.tif 000021
【図１４】
2015503402.tif 000022
【国際調査報告】
2015503402.tif 000023
2015503402.tif 000024